(57)【要約】【課題】電気泳動表示装置等の電気光学装置において、細い線幅を有する線画像を確実に表示させる。【解決手段】電気光学装置の制御方法は、表示すべき画像に所定幅よりも細い線幅を有する線画像が含まれている場合には、複数の画素のうち線画像に対応する第１画素の隣りに位置する第２画素における画素電極（２１Ｂｗ、２１Ｂｂ）に高電位（ＶＨ）及び低電位（ＶＬ）のうちの一方の電位が供給されるように、駆動部を制御することにより、第２画素に第１階調を表示させる第１表示制御工程と、第１表示制御工程の後に、第２画素における画素電極（２１Ｌｂ、２１Ｌｗ）に基準電位が供給されるとともに、第１画素における画素電極に高電位及び低電位のうちの他方の電位が供給されるように、駆動部を制御することにより、第１画素に第１階調とは異なる第２階調を表示させる第２表示制御工程とを含む。【選択図】図７
2012194341.tif 000002
【特許請求の範囲】
【請求項１】
互いに対向する画素電極及び対向電極間に電気光学物質を夫々有する複数の画素を含む表示部と、該表示部に表示すべき画像に応じて前記画素電極及び前記対向電極間に電圧を印加する駆動部とを備えた電気光学装置を制御する制御方法であって、
前記表示すべき画像に所定幅よりも細い線幅を有する線画像が含まれている場合には、前記複数の画素のうち前記線画像に対応する第１画素の隣りに位置する第２画素における前記画素電極に基準電位よりも高い高電位及び前記基準電位よりも低い低電位のうちの一方の電位が供給されるように、前記駆動部を制御することにより、前記第２画素に第１階調を表示させる第１表示制御工程と、
該第１表示制御工程の後に、前記第２画素における前記画素電極に前記基準電位が供給されるとともに、前記第１画素における前記画素電極に前記高電位及び前記低電位のうちの前記一方の電位とは異なる他方の電位が供給されるように、前記駆動部を制御することにより、前記第１画素に前記第１階調とは異なる第２階調を表示させる第２表示制御工程と
を含むことを特徴とする電気光学装置の制御方法。
【請求項２】
前記第１表示制御工程は、前記第１画素における前記画素電極に前記他方の電位が供給されるように、前記駆動部を制御することを特徴とする請求項１に記載の電気光学装置の制御方法。
【請求項３】
前記第１表示制御工程は、前記第１画素における前記画素電極に前記基準電位が供給されるように、前記駆動部を制御することを特徴とする請求項１に記載の電気光学装置の制御方法。
【請求項４】
互いに対向する画素電極及び対向電極間に電気光学物質を夫々有する複数の画素を含む表示部と、該表示部に表示すべき画像に応じて前記画素電極及び前記対向電極間に電圧を印加する駆動部とを備えた電気光学装置を制御する制御装置であって、
前記表示すべき画像に所定幅よりも細い線幅を有する線画像が含まれている場合には、前記複数の画素のうち前記線画像に対応する第１画素の隣りに位置する第２画素における前記画素電極に基準電位よりも高い高電位及び前記基準電位よりも低い低電位のうちの一方の電位が供給されるように、前記駆動部を制御することにより、前記第２画素に第１階調を表示させる第１表示制御手段と、
該第１表示制御手段によって前記第２画素に前記第１階調が表示された後に、前記第２画素における前記画素電極に前記基準電位が供給されるとともに、前記第１画素における前記画素電極に前記高電位及び前記低電位のうちの前記一方の電位とは異なる他方の電位が供給されるように、前記駆動部を制御することにより、前記第１画素に前記第１階調とは異なる第２階調を表示させる第２表示制御手段と
を備えることを特徴とする電気光学装置の制御装置。
【請求項５】
請求項４に記載の電気光学装置の制御装置を備えることを特徴とする電気光学装置。
【請求項６】
請求項５に記載の電気光学装置を備えることを特徴とする電子機器。
【発明の詳細な説明】
【技術分野】
【０００１】
本発明は、例えば電気泳動表示装置等の電気光学装置の制御方法、電気光学装置の制御装置、電気光学装置、及び電子機器の技術分野に関する。
【背景技術】
【０００２】
この種の電気光学装置の一例として、電気泳動粒子を含む分散媒を有する電気泳動素子を挟持するように設けられた画素電極及び対向電極間に電圧を印加することにより、電気泳動粒子を移動させることで画像を表示する電気泳動表示装置がある（例えば特許文献１参照）。電気泳動素子は、電気泳動粒子として例えば黒色粒子及び白色粒子を含んでおり、これら２種類の粒子が画素毎に選択的に対向電極側に引き寄せられることによって、黒色又は白色の２つの階調が表示される。
【０００３】
このような電気泳動表示装置では、例えば、黒色を表示させるべき画素の画素電極に、対向電極の電位（例えば０ボルト）よりも高い正極性の電位（例えば１５ボルト）を供給するとともに、白色を表示させるべき画素の画素電極に、対向電極の電位よりも低い負極性の電位（例えば−１５ボルト）を供給することにより、画像を表示させる（例えば特許文献１参照）。
【先行技術文献】
【特許文献】
【０００４】
【特許文献１】特開２００６−２２７４７０号公報
【発明の概要】
【発明が解決しようとする課題】
【０００５】
前述した電気泳動表示表示装置では、画像表示の際、例えば、黒色を表示すべき１つの画素が白色を表示すべき２つの画素間に位置する場合（即ち、正極性の電位が供給される画素電極が、負極性の電位が夫々供給される２つの画素電極間に位置することになる場合、言い換えれば、正極性の電位が供給される画素電極と隣り合う画素電極に負極性の電位が供給される場合）、黒色を表示すべき画素の画素電極と白色を表示すべき画素の画素電極との間に強い電界が生じることにより、黒色を表示すべき画素の画素電極と対向電極との間に十分な電圧を印加することができず、黒色を表示すべき画素に黒色を表示することが困難になるおそれがあるという技術的問題点がある。このため、例えば１つの画素の幅（即ち、１画素の幅）に相当する線幅など細い線幅を有する線画像を適切に表示することが困難になってしまうおそれがある。即ち、表示された線画像の線幅が、表示すべき線画像の線幅よりも細くなってしまったり、表示すべき線画像がほとんど或いは全く表示されなくなってしまう事態が生じ得る。
【０００６】
本発明は、例えば前述した問題点に鑑みなされたものであり、例えば１画素の幅に相当する線幅など細い線幅を有する線画像を確実に表示させることができ、高品質な画像を表示させることが可能な電気光学装置の制御方法、電気光学装置の制御装置、電気光学装置、及び電子機器を提供することを課題とする。
【課題を解決するための手段】
【０００７】
本発明に係る電気光学装置の制御方法は上記課題を解決するために、互いに対向する画素電極及び対向電極間に電気光学物質を夫々有する複数の画素を含む表示部と、該表示部に表示すべき画像に応じて前記画素電極及び前記対向電極間に電圧を印加する駆動部とを備えた電気光学装置を制御する制御方法であって、前記表示すべき画像に所定幅よりも細い線幅を有する線画像が含まれている場合には、前記複数の画素のうち前記線画像に対応する第１画素の隣りに位置する第２画素における前記画素電極に基準電位よりも高い高電位及び前記基準電位よりも低い低電位のうちの一方の電位が供給されるように、前記駆動部を制御することにより、前記第２画素に第１階調を表示させる第１表示制御工程と、該第１表示制御工程の後に、前記第２画素における前記画素電極に前記基準電位が供給されるとともに、前記第１画素における前記画素電極に前記高電位及び前記低電位のうちの前記一方の電位とは異なる他方の電位が供給されるように、前記駆動部を制御することにより、前記第１画素に前記第１階調とは異なる第２階調を表示させる第２表示制御工程とを含む。
【０００８】
本発明に係る電気光学装置の制御方法は、互いに対向する画素電極及び対向電極間に、例えば電気泳動粒子等の電気光学物質を夫々有する複数の画素を含む表示部と、該表示部に表示すべき画像に応じて画素電極及び対向電極間に電圧を印加する駆動部とを備えた、例えば電気泳動表示装置等の電気光学装置を制御する制御方法である。電気光学装置は、画素電極及び対向電極間に印加される電圧に応じて例えば電気泳動粒子等の電気光学物質の状態が変化することにより、表示部において画像を表示することができる。駆動部は、例えば、対向電極に基準電位を供給するとともに、画素電極に、基準電位よりも高い高電位又は基準電位よりも低い低電位を、表示すべき階調に応じて供給することにより、画素電極及び対向電極間に電圧を印加する。
【０００９】
本発明に係る電気光学装置の制御方法によれば、表示すべき画像に所定幅よりも細い線幅を有する線画像（例えば、１画素の幅に相当する線幅を有する線画像）が含まれている場合には、第１表示制御工程及び第２表示制御工程をこの順で行うことにより、表示すべき画像を表示部に表示させる。
【００１０】
第１表示制御工程では、複数の画素のうち線画像に対応する第１画素の隣りに位置する第２画素における画素電極に低電位及び高電位のうちの一方の電位が供給されるように、駆動部を制御することにより、第２画素に第１階調（例えば白色）を表示させる。即ち、第１表示制御工程では、所定幅よりも細い線幅を有する線画像（例えば黒色である第２階調の線画像）の背景となる第１階調（例えば白色）が、該線画像に対応する第１画素の隣りに位置する第２画素に表示されるように、第２画素における画素電極に一方の電位（即ち、低電位及び高電位のうち第１階調に対応する電位）が駆動部によって供給される。なお、第１表示制御工程では、第１画素における画素電極及び対向電極間に、第１画素に第１階調が表示されるように電圧が印加されてもよいし（例えば、第１画素における画素電極に、低電位及び高電位のうち第２階調に対応する電位が供給されてもよいし）、電圧が印加されなくてもよい（例えば、第１画素における画素電極に基準電位が供給されてもよい）。
【００１１】
第２表示制御工程では、第２画素における画素電極に基準電位が供給されるとともに、第１画素における画素電極に高電位及び低電位のうちの一方の電位とは異なる他方の電位（即ち、第２階調に対応する電位）が供給されるように、駆動部を制御することにより、第１画素に第２階調（例えば黒色）を表示させる。即ち、第２表示制御工程では、背景となる第１階調（例えば白色）を表示する状態となった第２画素の画素電極に基準電位が供給されるとともに、線画像に対応する第１画素における画素電極に他方の電位（即ち、第２階調に対応する電位）が供給されることで、表示部には、第１階調（例えば白色）を背景として第２階調（例えば黒色）の線画像が表示される。
【００１２】
ここで、仮に、複数の画素のうち背景となる第２画素における画素電極に高電位及び低電位のうち第１階調（例えば白色）に対応する一方の電位（例えば低電位）が供給されている状態で、線画像に対応する第１画素における画素電極に高電位及び低電位のうち第２階調（例えば黒色）に対応する他方の電位（例えば高電位）が供給される場合には、第２画素における画素電極と第１画素における画素電極との間の電位差によって生じる電界によって、線画像に対応する第１画素における画素電極と対向電極との間に、印加すべき電圧を十分に印加することができず、線画像を適切に表示することが困難になってしまうおそれがある。例えば、表示部に表示される線画像の線幅が、表示すべき線画像の線幅よりも細くなってしまったり、表示すべき線画像がほとんど或いは全く表示されない事態が生じ得る。
【００１３】
しかるに本発明では特に、第２表示制御工程において、第２画素における画素電極に基準電位が供給されるとともに、第１画素における画素電極に他方の電位（即ち、第２階調に対応する電位）が供給される。よって、例えば、前述した、背景となる第２画素における画素電極に一方の電位（例えば低電位）が供給されている状態で、線画像に対応する第１画素における画素電極に他方の電位（例えば高電位）が供給される場合と比較して、第２画素における画素電極と第１画素における画素電極との間の電位差を低減することができ、線画像に対応する第１画素における画素電極と対向電極との間に、印加すべき電圧を十分に印加することが可能となる。したがって、所定幅よりも細い線幅を有する線画像（例えば１画素の幅に相当する線幅を有する線画像）を確実に表示させることができる。即ち、例えば、表示部に表示される線画像の線幅が、表示すべき線画像の線幅よりも細くなってしまったり、表示すべき線画像がほとんど或いは全く表示されないという事態を回避することができる。この結果、高品質な画像を表示させることが可能となる。
【００１４】
以上説明したように、本発明に係る電気光学装置の制御方法によれば、電気光学装置の表示部に、例えば１画素の幅に相当する線幅など細い線幅を有する線画像を確実に表示させることができる。この結果、高品質な画像を表示させることが可能となる。
【００１５】
本発明に係る電気光学装置の制御方法の一態様では、前記第１表示制御工程は、前記第１画素における前記画素電極に前記他方の電位が供給されるように、前記駆動部を制御する。
【００１６】
この態様によれば、第１及び第２表示制御工程によって、第１画素に第１階調が表示されるように、第１画素における画素電極及び対向電極間に電圧を確実に印加することができる。したがって、表示部に線画像を確実に表示させることができる。
【００１７】
本発明に係る電気光学装置の制御方法の他の態様では、前記第１表示制御工程は、前記第１画素における前記画素電極に前記基準電位が供給されるように、前記駆動部を制御する。
【００１８】
この態様によれば、第１表示制御工程では、第１画素における画素電極に基準電位が供給されることで、第１画素における画素電極及び対向電極間には電圧が印加されない。よって、第２表示制御工程において、第１画素における画素電極に他方の電位が供給され、第１画素における画素電極及び対向電極間に電圧が印加されることにより、第１画素における画素電極と対向電極との間に電圧が印加されすぎてしまい、例えば電気泳動粒子などの電気光学物質が損傷或いは劣化してしまうことを抑制できる。
【００１９】
本発明に係る電気光学装置の制御装置は上記課題を解決するために、互いに対向する画素電極及び対向電極間に電気光学物質を夫々有する複数の画素を含む表示部と、該表示部に表示すべき画像に応じて前記画素電極及び前記対向電極間に電圧を印加する駆動部とを備えた電気光学装置を制御する制御装置であって、前記表示すべき画像に所定幅よりも細い線幅を有する線画像が含まれている場合には、前記複数の画素のうち前記線画像に対応する第１画素の隣りに位置する第２画素における前記画素電極に基準電位よりも高い高電位及び前記基準電位よりも低い低電位のうちの一方の電位が供給されるように、前記駆動部を制御することにより、前記第２画素に第１階調を表示させる第１表示制御手段と、該第１表示制御手段によって前記第２画素に前記第１階調が表示された後に、前記第２画素における前記画素電極に前記基準電位が供給されるとともに、前記第１画素における前記画素電極に前記高電位及び前記低電位のうちの前記一方の電位とは異なる他方の電位が供給されるように、前記駆動部を制御することにより、前記第１画素に前記第１階調とは異なる第２階調を表示させる第２表示制御手段とを備える。
【００２０】
本発明に係る電気光学装置の制御装置によれば、前述した本発明に係る電気光学装置の制御方法と同様に、電気光学装置において、例えば１画素の幅に相当する線幅など細い線幅を有する線画像を確実に表示させることができ、高品質な画像を表示させることができる。
【００２１】
なお、本発明に係る電気光学装置の制御装置においても、前述した本発明に係る電気光学装置の制御方法における各種態様と同様の各種態様を採ることが可能である。
【００２２】
本発明に係る電気光学装置は上記課題を解決するために、前述した本発明に係る電気光学装置の制御装置（但し、その各種態様も含む）を備える。
【００２３】
本発明に係る電気光学装置によれば、前述した本発明に係る電気光学装置の制御装置を備えるので、例えば１画素の幅に相当する線幅など細い線幅を有する線画像を確実に表示することができ、高品質な画像を表示することができる。
【００２４】
本発明に係る電子機器は上記課題を解決するために、前述した本発明に係る電気光学装置（但し、その各種態様も含む）を備える。
【００２５】
本発明に係る電子機器によれば、前述した本発明に係る電気光学装置を備えるので、高品質な画像を表示することが可能な、例えば、腕時計、電子ペーパー、電子ノート、携帯電話、携帯用オーディオ機器などの各種電子機器を実現できる。
【００２６】
本発明の作用及び他の利得は次に説明する発明を実施するための形態から明らかにされる。
【図面の簡単な説明】
【００２７】
【図１】第１実施形態に係る電気泳動表示装置の全体構成を示すブロック図である。
【図２】第１実施形態に係る画素の電気的な構成を示す等価回路図である。
【図３】第１実施形態に係る電気泳動表示装置の表示部の部分断面図である。
【図４】第１実施形態に係るマイクロカプセルの構成を示す模式図である。
【図５】線画像が含まれる画像の一例を示す平面図である。
【図６】第１実施形態に係る第１表示制御工程を示す模式図である。
【図７】第１実施形態に係る第２表示制御工程を示す模式図である。
【図８】第２実施形態に係る第１表示制御工程を示す模式図である。
【図９】電気光学装置を適用した電子機器の一例たる電子ペーパーの構成を示す斜視図である。
【図１０】電気光学装置を適用した電子機器の一例たる電子ノートの構成を示す斜視図である。
【発明を実施するための形態】
【００２８】
以下では、本発明の実施形態について図を参照しつつ説明する。以下の実施形態では、本発明に係る電気光学装置の一例である電気泳動表示装置を例にとる。
【００２９】
＜第１実施形態＞
第１実施形態に係る電気泳動表示装置について、図１から図７を参照して説明する。
【００３０】
まず、本実施形態に係る電気泳動表示装置の全体構成について、図１及び図２を参照して説明する。
【００３１】
図１は、本実施形態に係る電気泳動表示装置の全体構成を示すブロック図である。
【００３２】
図１において、本実施形態に係る電気泳動表示装置１は、表示部３と、コントローラ１０と、走査線駆動回路６０と、データ線駆動回路７０と、共通電位供給回路２２０とを備えている。なお、コントローラ１０が本発明に係る「電気光学装置の制御装置」の一例である。また、走査線駆動回路６０、データ線駆動回路７０及び共通電位供給回路２２０が本発明に係る「駆動部」の一例を構成する。
【００３３】
表示部３には、ｍ行×ｎ列分の画素２０がマトリクス状（二次元平面的）に配列されている。また、表示部３には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００３４】
コントローラ１０は、走査線駆動回路６０、データ線駆動回路７０及び共通電位供給回路２２０の動作を制御する。コントローラ１０は、例えば、クロック信号、スタートパルス等のタイミング信号を各回路に供給する。
【００３５】
走査線駆動回路６０は、コントローラ１０による制御下で、走査線Ｙ１、Ｙ２、…、Ｙｍの各々に走査信号をパルス的に順次供給する。
【００３６】
データ線駆動回路７０は、コントローラ１０による制御下で、データ線Ｘ１、Ｘ２、…、Ｘｎにデータ信号を供給する。データ信号は、基準電位ＧＮＤ（例えば０Ｖ）、高電位ＶＨ（例えば＋１５Ｖ）又は低電位ＶＬ（例えば−１５Ｖ）のいずれかの電位をとる。なお、本実施形態では、基本的には、黒色が表示されるべき画素２０に対して低電位ＶＬのデータ信号が供給され、白色が表示されるべき画素２０に対して高電位ＶＨのデータ信号が供給される。
【００３７】
共通電位供給回路２２０は、共通電位線９３に共通電位Ｖｃｏｍ（本実施形態では、基準電位ＧＮＤと同一の電位）を供給する。なお、共通電位Ｖｃｏｍは、共通電位Ｖｃｏｍが供給された対向電極２２と基準電位ＧＮＤが供給された画素電極２１との間に電圧が実質的に生じない範囲内で、基準電位ＧＮＤとは異なる電位であってもよい。
【００３８】
なお、コントローラ１０、走査線駆動回路６０、データ線駆動回路７０及び共通電位供給回路２２０には、各種の信号が入出力されるが、本実施形態と特に関係のないものについては説明を省略する。
【００３９】
図２は、画素の電気的な構成を示す等価回路図である。
【００４０】
図２において、画素２０は、画素スイッチング用トランジスター２４と、画素電極２１と、対向電極２２と、電気泳動素子２３と、保持容量２７とを備えている。
【００４１】
画素スイッチング用トランジスター２４は、例えばＮ型トランジスターで構成されている。画素スイッチング用トランジスター２４は、そのゲートが走査線４０に電気的に接続されており、そのソースがデータ線５０に電気的に接続されており、そのドレインが画素電極２１及び保持容量２７に電気的に接続されている。画素スイッチング用トランジスター２４は、データ線駆動回路７０（図１参照）からデータ線５０を介して供給されるデータ信号を、走査線駆動回路６０（図１参照）から走査線４０を介してパルス的に供給される走査信号に応じたタイミングで、画素電極２１及び保持容量２７に出力する。
【００４２】
画素電極２１には、データ線駆動回路７０からデータ線５０及び画素スイッチング用トランジスター２４を介して、データ信号が供給される。画素電極２１は、電気泳動素子２３を介して対向電極２２と互いに対向するように配置されている。
【００４３】
対向電極２２は、共通電位Ｖｃｏｍが供給される共通電位線９３に電気的に接続されている。
【００４４】
電気泳動素子２３は、電気泳動粒子をそれぞれ含んでなる複数のマイクロカプセルから構成されている。
【００４５】
保持容量２７は、誘電体膜を介して対向配置された一対の電極からなり、一方の電極が、画素電極２１及び画素スイッチング用トランジスター２４に電気的に接続され、他方の電極が共通電位線９３に電気的に接続されている。保持容量２７によってデータ信号を一定期間だけ維持することができる。
【００４６】
次に、本実施形態に係る電気泳動表示装置の表示部の具体的な構成について、図３及び図４を参照して説明する。
【００４７】
図３は、本実施形態に係る電気泳動表示装置の表示部の部分断面図である。
【００４８】
図３において、表示部３は、素子基板２８と対向基板２９との間に電気泳動素子２３が挟持される構成となっている。なお、本実施形態では、対向基板２９側に画像を表示することを前提として説明する。
【００４９】
素子基板２８は、例えばガラスやプラスチック等からなる基板である。素子基板２８上には、ここでは図示を省略するが、図２を参照して前述した画素スイッチング用トランジスター２４、保持容量２７、走査線４０、データ線５０、共通電位線９３等が作り込まれた積層構造が形成されている。この積層構造の上層側に複数の画素電極２１がマトリクス状に設けられている。
【００５０】
対向基板２９は、例えばガラスやプラスチック等からなる透明な基板である。対向基板２９における素子基板２８との対向面上には、対向電極２２が複数の画素電極９ａと対向してベタ状に形成されている。対向電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００５１】
電気泳動素子２３は、本発明に係る「電気光学物質」の一例であり、電気泳動粒子をそれぞれ含んでなる複数のマイクロカプセル８０から構成されており、例えば樹脂等からなるバインダー３０及び接着層３１によって素子基板２８及び対向基板２９間で固定されている。尚、本実施形態に係る電気泳動表示装置１は、製造プロセスにおいて、電気泳動素子２３が予め対向基板２９側にバインダー３０によって固定されてなる電気泳動シートが、別途製造された、画素電極２１等が形成された素子基板２８側に接着層３１によって接着されて構成されている。
【００５２】
マイクロカプセル８０は、画素電極２１及び対向電極２２間に挟持され、１つの画素２０内に（言い換えれば、１つの画素電極２１に対して）１つ又は複数配置されている。
【００５３】
図４は、マイクロカプセルの構成を示す模式図である。なお、図４では、マイクロカプセルの断面を模式的に示している。
【００５４】
図４において、マイクロカプセル８０は、被膜８５の内部に分散媒８１と、複数の白色粒子８２と、複数の黒色粒子８３とが封入されてなる。マイクロカプセル８０は、例えば、５０ｕｍ程度の粒径を有する球状に形成されている。
【００５５】
被膜８５は、マイクロカプセル８０の外殻として機能し、ポリメタクリル酸メチル、ポリメタクリル酸エチル等のアクリル樹脂、ユリア樹脂、アラビアガム、ゼラチン等の透光性を有する高分子樹脂から形成されている。
【００５６】
分散媒８１は、白色粒子８２及び黒色粒子８３をマイクロカプセル８０内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００５７】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【００５８】
黒色粒子８３は、例えば、アニリンブラック、カーボンブラック等の黒色顔料からなる粒子（高分子或いはコロイド）であり、例えば正に帯電されている。
【００５９】
このため、白色粒子８２及び黒色粒子８３は、画素電極２１と対向電極２２との間の電位差によって発生する電場によって、分散媒８１中を移動することができる。
【００６０】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００６１】
図３及び図４において、画素電極２１と対向電極２２との間に、相対的に対向電極２２の電位が高くなるように電圧が印加された場合には、正に帯電された黒色粒子８３はクーロン力によってマイクロカプセル８０内で画素電極２１側に引き寄せられるとともに、負に帯電された白色粒子８２はクーロン力によってマイクロカプセル８０内で対向電極２２側に引き寄せられる。この結果、マイクロカプセル８０内の表示面側（即ち、対向電極２２側）には白色粒子８２が集まることになり、表示部３の表示面にはこの白色粒子８２の色（即ち、白色）が表示されることとなる。逆に、画素電極２１と対向電極２２との間に、相対的に画素電極２１の電位が高くなるように電圧が印加された場合には、負に帯電された白色粒子８２がクーロン力によって画素電極２１側に引き寄せられるとともに、正に帯電された黒色粒子８３はクーロン力によって対向電極２２側に引き寄せられる。この結果、マイクロカプセル８０の表示面側には黒色粒子８３が集まることになり、表示部３の表示面にはこの黒色粒子８３の色（即ち、黒色）が表示されることとなる。
【００６２】
なお、白色粒子８２、黒色粒子８３に用いる顔料を、例えば赤色、緑色、青色等の顔料に代えることによって、赤色、緑色、青色等を表示することができる。
【００６３】
次に、本実施形態に係る電気泳動表示装置の制御方法について、図５から図７を参照して説明する。
【００６４】
図５は、線画像が含まれる画像の一例を示す平面図である。
【００６５】
以下では、図５に示すような線画像Ｌｂ及びＬｗが含まれる画像Ｐが表示部３（図１参照）に表示される場合を例にとりながら、前述した電気泳動表示装置１の制御方法、即ち、コントローラ１０が走査線駆動回路６０、データ線駆動回路７０及び共通電位供給回路２２０を制御する制御方法について説明する。なお、画像Ｐは、黒色及び白色の２階調からなる２階調画像である。また、以下では、走査線駆動回路６０、データ線駆動回路７０及び共通電位供給回路２２０を総称して「駆動部」と適宜称する。
【００６６】
図５に示すように、画像Ｐには、黒色の線画像Ｌｂと、この線画像Ｌｂの背景となる白色の背景画像Ｂｗと、白色の線画像Ｌｗと、この白色の背景となる黒色の背景画像Ｂｂとが含まれている。線画像Ｌｂ及びＬｗは、１画素に相当する線幅を有している。即ち、線画像Ｌｂの線幅ＷＬｂ及び線画像Ｌｗの線幅ＷＬｗは、画素電極２１の幅とほとんど同じである。
【００６７】
本実施形態では、表示すべき画像に１画素に相当する線幅を有する線画像が含まれている場合には、以下のように第１表示制御工程及び第２表示制御工程が順に行われることで、表示すべき画像が表示部３に表示される。
【００６８】
即ち、表示部３に、１画素に相当する線幅をそれぞれ有する線画像Ｌｂ及びＬｗが含まれる画像Ｐが表示される際には、コントローラ１０によって第１及び第２表示制御工程が順に行われる。なお、コントローラ１０は、表示すべき画像に、１画素に相当する線幅を有する線画像が含まれているか否か（言い換えれば、１画素に相当する線幅よりもやや太い所定幅よりも細い線画像が含まれているか否か）を画像データに基づいて判定する。コントローラ１０は、表示すべき画像に、１画素に相当する線幅を有する線画像が含まれていると判定した場合に、第１及び第２表示制御工程を行う。なお、本実施形態では、表示すべき画像に１画素に相当する線幅を有する線画像が含まれている場合に、第１及び第２表示制御工程が順に行われる例を挙げるが、表示すべき画像に、２画素に相当する線幅（即ち、１画素に相当する線幅の２倍の線幅）以下の線幅や３画素に相当する線幅（即ち、１画素に相当する線幅の３倍の線幅）以下の線幅など、１つの画素２０の幅の複数倍に相当する線幅以下の線幅を有する線画像が含まれている場合に、第１及び第２表示制御工程が順に行われてもよい。
【００６９】
図６は、本実施形態に係る第１表示制御工程を示す模式図である。図６（ａ）は、本実施形態に係る第１表示制御工程における、黒色の線画像Ｌｂ及び白色の背景画像Ｂｗに対応する画素２０の状態を示しており、図６（ｂ）は、本実施形態に係る第１表示制御工程における、白色の線画像Ｌｗ及び黒色の背景画像Ｂｂに対応する画素２０の状態を示している。
【００７０】
図５及び図６において、第１表示制御工程では、表示部３に配列されたｍ行×ｎ列分の画素２０（図１参照）のうち、白色の背景画像Ｂｗに対応する画素２０における画素電極２１Ｂｗ（図６（ａ）参照）、及び白色の線画像Ｌｗに対応する画素２０における画素電極２１Ｌｗ（図６（ｂ）参照）の各々に低電位ＶＬ（例えば−１５Ｖ）が供給されるとともに、黒色の背景画像Ｂｂに対応する画素２０における画素電極２１Ｂｂ（図６（ｂ）参照）、及び黒色の線画像Ｌｂに対応する画素２０における画素電極２１Ｌｂ（図６（ａ）参照）の各々に高電位ＶＨ（例えば＋１５Ｖ）が供給されるように、駆動部がコントローラ１０によって制御される。即ち、第１表示制御工程では、白色を表示すべき画素２０における画素電極２１（即ち、画素電極２１Ｂｗ及び画素電極２１Ｌｗ）に低電位（例えば−１５Ｖ）が供給されるとともに、黒色を表示すべき画素２０における画素電極２１（即ち、画素電極２１Ｂｂ及び画素電極２１Ｌｂ）に高電位（例えば＋１５Ｖ）が供給されるように、駆動部がコントローラ１０によって制御される。なお、対向電極２２には、共通電位Ｖｃｏｍ（本実施形態では、例えば０Ｖである基準電位ＧＮＤ）が供給されている。
【００７１】
よって、図６（ａ）に示すように、白色の背景画像Ｂｗに対応する画素２０では、対向電極２２から画素電極２１Ｂｗに向って電界ＥＢｗが生じて、黒色粒子８３は画素電極２１Ｂｗ側に引き寄せられて画素電極２１Ｂｗに到達するとともに、白色粒子８２は対向電極２２側に引き寄せられて対向電極２２に到達する。この結果、白色の背景画像Ｂｗに対応する画素２０に白色が表示される。また、図６（ｂ）に示すように、黒色の背景画像Ｂｂに対応する画素２０では、画素電極２１Ｂｂから対向電極２２に向って電界ＥＢｂが生じて、黒色粒子８３は対向電極２２側に引き寄せられて対向電極２２に到達するとともに、白色粒子８２は画素電極２１Ｂｂ側に引き寄せられて画素電極２１Ｂｂに到達する。この結果、黒色の背景画像Ｂｂに対応する画素２０に黒色が表示される。また、図６（ａ）に示すように、黒色の線画像Ｌｂに対応する画素２０では、当該画素２０における画素電極２１Ｌｂと、当該画素２０の隣りに位置する白色の背景画像Ｂｗに対応する画素２０の画素電極２１Ｂｗとの間に横向きの電界（即ち、画素電極２１Ｌｂから画素電極２１Ｂｗに向かう電界）Ｅｔ１が生じるため、画素電極２１Ｌｂと対向電極２２との間に生じる電界ＥＬｂの大きさは、電界ＥＢｗや電界ＥＢｂの大きさよりも小さい。ここで、画素電極２１Ｌｂと画素電極２１Ｂｗとの電位差（即ち、高電位ＶＨと低電位ＶＬとの差、例えば３０Ｖ）は、画素電極２１Ｌｂと対向電極２２と電位差（即ち、高電位ＶＨと基準電位ＧＮＤとの差、例えば１５Ｖ）よりも大きく、更に、画素電極２１Ｌｂと画素電極２１Ｂｗとの間の距離（即ち、画素電極間距離、例えば１０ｕｍ程度）は、画素電極２１Ｌｂと対向電極２２との間の距離（例えば３５〜４５ｕｍ程度）よりも小さいので、画素電極２１Ｌｂから対向電極２２に向かう電界ＥＬｂの大きさは、横向きの電界Ｅｔ１の大きさよりも小さくなる（即ち、黒色の線画像Ｌｂに対応する画素２０では、横向きの電界Ｅｔ１が黒色粒子８３及び白色粒子８２に対して支配的に働く）。したがって、黒色の線画像Ｌｂに対応する画素２０では、黒色粒子８３は対向電極２２側に引き寄せられるが、黒色粒子８３は対向電極２２に到達せず、白色粒子８２は画素電極２１Ｌｂ側に引き寄せられるが、画素電極２１Ｌｂに到達しない。また、図６（ｂ）に示すように、白色の線画像Ｌｗに対応する画素２０では、当該画素２０における画素電極２１Ｌｗと、当該画素２０の隣りに位置する黒色の背景画像Ｂｂに対応する画素２０の画素電極２１Ｂｂとの間に横向きの電界（即ち、画素電極２１Ｂｂから画素電極２１Ｌｗに向かう電界）Ｅｔ２が生じるため、画素電極２１Ｌｗと対向電極２２との間に生じる電界ＥＬｗの大きさは、電界ＥＢｗや電界ＥＢｂの大きさよりも小さい。ここで、画素電極２１Ｌｗと画素電極２１Ｂｂとの電位差（即ち、低電位ＶＬと高電位ＶＨとの差、例えば３０Ｖ）は、画素電極２１Ｌｗと対向電極２２と電位差（即ち、低電位ＶＬと基準電位ＧＮＤとの差、例えば１５Ｖ）よりも大きく、更に、画素電極２１Ｌｗと画素電極２１Ｂｂとの間の距離（即ち、画素電極間距離、例えば１０ｕｍ程度）は、画素電極２１Ｌｗと対向電極２２との間の距離（例えば３５〜４５ｕｍ程度）よりも小さいので、画素電極２１Ｌｗから対向電極２２に向かう電界ＥＬｗの大きさは、横向きの電界Ｅｔ２の大きさよりも小さくなる（即ち、白色の線画像Ｌｗに対応する画素２０では、横向きの電界Ｅｔ２が黒色粒子８３及び白色粒子８２に対して支配的に働く）。したがって、白色の線画像Ｌｗに対応する画素２０では、白色粒子８２は対向電極２２側に引き寄せられるが、対向電極２２に到達せず、黒色粒子８３は画素電極２１Ｌｗ側に引き寄せられるが、画素電極２１Ｌｗに到達しない。
【００７２】
このような第１表示制御工程が行われた後に、以下のような第２表示制御工程が行われる。
【００７３】
図７は、本実施形態に係る第２表示制御工程を示す模式図である。図７（ａ）は、本実施形態に係る第２表示制御工程における、黒色の線画像Ｌｂ及び白色の背景画像Ｂｗに対応する画素２０の状態を示しており、図７（ｂ）は、本実施形態に係る第２表示制御工程における、白色の線画像Ｌｗ及び黒色の背景画像Ｂｂに対応する画素２０の状態を示している。
【００７４】
図５及び図７において、第２表示制御工程では、表示部３に配列されたｍ行×ｎ列分の画素２０（図３参照）のうち、白色の背景画像Ｂｗに対応する画素２０における画素電極２１Ｂｗ（図７（ａ）参照）、及び黒色の背景画像Ｂｂに対応する画素２０における画素電極２１Ｂｂ（図７（ｂ）参照）の各々に基準電位ＧＮＤが供給され、かつ、黒色の線画像Ｌｂに対応する画素２０における画素電極２１Ｌｂ（図７（ａ）参照）に高電位ＶＨ（例えば＋１５Ｖ）が供給されるとともに、白色の線画像Ｌｗに対応する画素２０における画素電極２１Ｌｗ（図７（ｂ）参照）に低電位ＶＬ（例えば−１５Ｖ）が供給されるように、駆動部がコントローラ１０によって制御される。即ち、第２表示制御工程では、背景画像Ｂｗ及びＢｂを表示すべき画素２０における画素電極２１（即ち、画素電極２１Ｂｗ及び画素電極２１Ｂｂ）に基準電位ＧＮＤが供給されるとともに、線画像Ｌｂ及びＬｗを表示すべき画素２０における画素電極２１（即ち、画素電極２１Ｌｂ及び画素電極２１Ｌｂ）に、当該画素２０が表示すべき線画像に応じて高電位ＶＨ（例えば＋１５Ｖ）又は低電位ＶＬ（例えば−１５Ｖ）が供給されるように、駆動部がコントローラ１０によって制御される。なお、対向電極２２には、共通電位Ｖｃｏｍ（本実施形態では、例えば０Ｖである基準電位ＧＮＤ）が供給されている。
【００７５】
つまり、第２表示制御工程では、背景画像に対応する画素電極２１Ｂｗ及び２１Ｒｂに基準電位ＧＮＤが供給され、かつ、線画像Ｌｂに対応する画素電極２１Ｌｂに高電位ＶＨが供給されるとともに、線画像Ｌｗに対応する画素電極２１Ｌｗに低電位ＶＬが供給される。
【００７６】
よって、図７に示すように、白色の背景画像Ｂｗに対応する画素２０、及び黒色の背景画像Ｂｂに対応する画素２０の各々では、画素電極２１（即ち、画素電極２１Ｂｗ或いは２１Ｂｂ）と対向電極２２との間に電界がほとんど或いは全く生じないので、黒色粒子８３及び白色粒子８２は、図６を参照して前述した第１表示制御工程が行われた後の状態とほとんど同じ状態に維持される。また、図７（ａ）に示すように、黒色の線画像Ｌｂに対応する画素２０では、画素電極２１Ｌｂから対向電極２２に向って電界ＥＬｂが生じて、黒色粒子８３は対向電極２２側に引き寄せられて対向電極２２に到達するとともに、白色粒子８２は画素電極２１Ｌｂ側に引き寄せられて画素電極２１Ｌｂに到達する。この結果、黒色の線画像Ｌｂに対応する画素２０に黒色が表示される。また、図７（ｂ）に示すように、白色の線画像Ｌｗに対応する画素２０では、対向電極２２から画素電極２１Ｌｗに向って電界ＥＬｗが生じて、黒色粒子８３は画素電極２１Ｌｗ側に引き寄せられて画素電極２１Ｌｗに到達するとともに、白色粒子８２は対向電極２２側に引き寄せられて対向電極２２に到達する。この結果、白色の線画像Ｌｗに対応する画素２０に白色が表示される。
【００７７】
ここで、第２表示制御工程における画素電極２１Ｌｂと画素電極２１Ｂｗとの電位差（即ち、高電位ＶＨと基準電位ＧＮＤとの差、例えば１５Ｖ）は、第１表示制御工程における画素電極２１Ｌｂと画素電極２１Ｂｗとの電位差（即ち、高電位ＶＨと低電位ＶＬとの差、例えば３０Ｖ）よりも小さいので、第１表示制御工程と比べて、画素電極２１Ｌｂから画素電極２１Ｂｗに向かう横向きの電界が小さい。よって、第２表示制御工程によれば、黒色の線画像Ｌｂに対応する画素２０において、黒色粒子８３を対向電極２２に確実に到達させることができるとともに、白色粒子８２を画素電極２１Ｌｂに確実に到達させることができる。したがって、黒色の線画像Ｌｂに対応する画素２０に黒色を確実に表示させることができる。この結果、黒色の線画像Ｌｂを表示部３に確実に表示させることができる。同様に、第２表示制御工程における画素電極２１Ｌｗと画素電極２１Ｂｂとの電位差（即ち、低電位ＶＬと基準電位ＧＮＤとの差、例えば１５Ｖ）は、第１表示制御工程における画素電極２１Ｌｗと画素電極２１Ｂｂとの電位差（即ち、低電位ＶＬと高電位ＶＨとの差、例えば３０Ｖ）よりも小さいので、第１表示制御工程と比べて、画素電極２１Ｂｂから画素電極２１Ｌｗに向かう横向きの電界が小さい。よって、第２表示制御工程によれば、白色の線画像Ｌｗに対応する画素２０において、白色粒子８２を対向電極２２に確実に到達させることができるとともに、黒色粒子８を画素電極２１Ｌｂに確実に到達させることができる。したがって、白色の線画像Ｌｗに対応する画素２０に白色を確実に表示させることができる。この結果、白色の線画像Ｌｗを表示部３に確実に表示させることができる。
【００７８】
以上の結果、本実施形態に係る電気泳動表示装置１は、１画素の幅に相当する線幅を有する線画像Ｌｂ及びＬｗを含む画像Ｐを表示部３に確実に表示することができる。即ち、本実施形態によれば、例えば、表示部３に線画像Ｌｂ及びＬｗとして表示される線画像の線幅が、表示すべき線画像Ｌｂ及びＬｗの線幅よりも細くなってしまったり、表示すべき線画像Ｌｂ及びＬｗがほとんど或いは全く表示されないという事態を回避することができる。
【００７９】
以上説明したように、本実施形態によれば、表示部３に、１画素の幅に相当する線幅など細い線幅を有する線画像を確実に表示させることができ、高品質な画像を表示させることができる。
【００８０】
＜第２実施形態＞
第２実施形態に係る電気泳動表示装置について、図８を参照して説明する。
【００８１】
第２実施形態に係る電気泳動表示装置は、前述したコントローラ１０が駆動部を制御する制御方法（具体的には、図６を参照して前述した第１表示制御工程）が、前述した第１実施形態に係る電気泳動表示装置１と異なる。その他の点については、第２実施形態に係る電気泳動表示装置は、前述した第１実施形態に係る電気泳動表示装置１と概ね同様に構成されている。
【００８２】
図８は、第２実施形態に係る第１表示制御工程を示す模式図である。図８（ａ）は、第２実施形態に係る第１表示制御工程における、黒色の線画像Ｌｂ及び白色の背景画像Ｂｗに対応する画素２０の状態を示しており、図８（ｂ）は、第２実施形態に係る第２表示制御工程における、白色の線画像Ｌｗ及び黒色の背景画像Ｂｂに対応する画素２０の状態を示している。なお、図８において、図１から図７に示した第１実施形態に係る構成要素と同様の構成要素に同一の参照符合を付し、それらの説明は適宜省略する。
【００８３】
図５及び図８において、第１表示制御工程では、表示部３に配列されたｍ行×ｎ列分の画素２０（図１参照）のうち、白色の背景画像Ｂｗに対応する画素２０における画素電極２１Ｂｗ（図８（ａ）参照）に低電位ＶＬ（例えば−１５Ｖ）が供給されるとともに、黒色の背景画像Ｂｂに対応する画素２０における画素電極２１Ｂｂ（図８（ｂ）参照）に高電位ＶＨ（例えば＋１５Ｖ）が供給され、かつ、黒色の線画像Ｌｂに対応する画素２０における画素電極２１Ｌ、及び白色の線画像Ｌｗに対応する画素２０における画素電極２１Ｌｗ（図８（ｂ）参照）の各々に基準電位ＧＮＤ（例えば０Ｖ）が供給されるように、駆動部がコントローラ１０によって制御される。なお、対向電極２２には、共通電位Ｖｃｏｍ（本実施形態では、例えば０Ｖである基準電位ＧＮＤ）が供給されている。
【００８４】
よって、図８（ａ）に示すように、白色の背景画像Ｂｗに対応する画素２０では、対向電極２２から画素電極２１Ｂｗに向って電界ＥＢｗが生じて、黒色粒子８３は画素電極２１Ｂｗ側に引き寄せられて画素電極２１Ｂｗに到達するとともに、白色粒子８２は対向電極２２側に引き寄せられて対向電極２２に到達する。この結果、白色の背景画像Ｂｗに対応する画素２０に白色が表示される。また、図８（ｂ）に示すように、黒色の背景画像Ｂｂに対応する画素２０では、画素電極２１Ｂｂから対向電極２２に向って電界ＥＢｂが生じて、黒色粒子８３は対向電極２２側に引き寄せられて対向電極２２に到達するとともに、白色粒子８２は画素電極２１Ｂｂ側に引き寄せられて画素電極２１Ｂｂに到達する。この結果、黒色の背景画像Ｂｂに対応する画素２０に黒色が表示される。また、図８（ａ）に示すように、黒色の線画像Ｌｂに対応する画素２０では、画素電極２１Ｌｂと対向電極２２との間に電位差がほとんど或いは全く生じないので、黒色粒子８３及び白色粒子８２は、隣りの画素２０に生じる電界ＥＢｗの影響によって画素電極２１Ｌｂ側及び対向電極２２側にそれぞれ移動するものの、画素電極２１Ｌｂ或いは対向電極２２に到達しない。同様に、図８（ｂ）に示すように、白色の線画像Ｌｂに対応する画素２０では、画素電極２１Ｌｗと対向電極２２との間に電位差がほとんど或いは全く生じないので、黒色粒子８３及び白色粒子８２は、隣りの画素２０に生じる電界ＥＢｂの影響によって画素電極２１Ｌｗ側及び対向電極２２側にそれぞれ移動するものの、画素電極２１Ｌｗ或いは対向電極２２に到達しない。
【００８５】
このような第１表示制御工程が行われた後に、前述した第１実施形態と同様に、第２表示制御工程が行われる。
【００８６】
図８に示した第２実施形態に係る第１表示制御工程では特に、線画像Ｌｂ及びＬｗに対応する画素２０における画素電極２１（即ち、画素電極Ｌｂ及びＬｗ）に基準電位ＧＮＤ（例えば０Ｖ）が供給される。即ち、本実施形態に係る第１表示制御工程では特に、線画像に対応する画素２０における画素電極２１及び対向電極２２間に電圧がほとんど或いは全く印加されない。よって、この第１表示制御工程の後に行われる第２表示制御工程（図７参照）において、線画像に対応する画素２０における画素電極２１及び対向電極２２間に電圧が印加された際、画素電極２１及び対向電極２２間に電圧が印加されすぎてしまうことにより黒色粒子８３及び白色粒子８２が損傷或いは劣化してしまうことを抑制できる。したがって、本実施形態によれば、当該電気泳動表示装置の信頼性を高めることができる。
【００８７】
＜電子機器＞
次に、前述した電気泳動表示装置を適用した電子機器について、図９及び図１０を参照して説明する。以下では、前述した電気泳動表示装置を電子ペーパー及び電子ノートに適用した場合を例にとる。
【００８８】
図９は、電子ペーパー１４００の構成を示す斜視図である。
【００８９】
図９に示すように、電子ペーパー１４００は、前述した実施形態に係る電気泳動表示装置を表示部１４０１として備えている。電子ペーパー１４００は可撓性を有し、従来の紙と同様の質感及び柔軟性を有する書き換え可能なシートからなる本体１４０２を備えて構成されている。
【００９０】
図１０は、電子ノート１５００の構成を示す斜視図である。
【００９１】
図１０に示すように、電子ノート１５００は、図１０で示した電子ペーパー１４００が複数枚束ねられ、カバー１５０１に挟まれているものである。カバー１５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【００９２】
前述した電子ペーパー１４００及び電子ノート１５００は、前述した実施形態に係る電気泳動表示装置を備えるので、消費電力が小さく、高品質な画像表示を行うことが可能である。
【００９３】
なお、これらの他に、腕時計、携帯電話、携帯用オーディオ機器などの電子機器の表示部に、前述した本実施形態に係る電気泳動表示装置を適用することができる。
【００９４】
なお、本発明は、電気泳動表示装置のほか、電子粉流体が用いられた表示装置にも適用することが可能である。
【００９５】
本発明は、前述した実施形態に限られるものではなく、特許請求の範囲及び明細書全体から読み取れる発明の要旨或いは思想に反しない範囲で適宜変更可能であり、そのような変更を伴う電気光学装置の制御方法、電気光学装置の制御装置、電気光学装置、及び電子機器もまた本発明の技術的範囲に含まれるものである。
【符号の説明】
【００９６】
３…表示部、１０…コントローラ、２０…画素、２１…画素電極、２２…対向電極、２８…素子基板、２９…対向基板、６０…走査線駆動回路、７０…データ線駆動回路、８２…白色粒子、８３…黒色粒子、２２０…共通電位供給回路。
【図１】
2012194341.tif 000003
【図２】
2012194341.tif 000004
【図３】
2012194341.tif 000005
【図４】
2012194341.tif 000006
【図５】
2012194341.tif 000007
【図６】
2012194341.tif 000008
【図７】
2012194341.tif 000009
【図８】
2012194341.tif 000010
【図９】
2012194341.tif 000011
【図１０】
2012194341.tif 000012